(57)【特許請求の範囲】
【請求項１】
遊技機に用いられる遊技媒体を受け入れ、前記遊技媒体を計数する玉計数ユニットと係合する各台計数機の受け皿ユニットにおいて、
前記遊技媒体を前記玉計数ユニットに案内する計数玉通路と、
前記計数玉通路の開口付近に架設され、前記玉計数ユニットの係合凹部に係合する係合軸と、
前記係合軸に対して上下動可能に設けられ、前記計数玉通路を開通または閉鎖するシャッタと、を備え、
前記係合軸が前記係合凹部に係合することで、前記係合凹部が前記シャッタを押し上げて前記計数玉通路を開通させ、
前記係合軸が前記係合凹部に係合していないときは、前記シャッタの自重により前記計数玉通路が閉鎖される
ことを特徴とする各台計数機の受け皿ユニット。
【請求項２】
前記シャッタは、
前記係合軸が挿通され、上下方向に延びた長孔を備えた一対の側板と、
前記側板同士を連結する平板と、
前記計数玉通路に向けて延設され、前記計数玉通路上にある遊技媒体と当接可能な当接板と、を備え、
前記係合凹部が前記シャッタを押し上げることで、前記計数玉通路に対して前記当接板が、前記遊技媒体が通過できる程度に上昇する
ことを特徴とする請求項１に記載の各台計数機の受け皿ユニット。
【請求項３】
前記平板の端部に、前記係合凹部が当接して移動する際の前記平板の端部と前記係合凹部との摩擦を低減させるための丸みを帯びた凸部が形成されている
ことを特徴とする請求項２に記載の各台計数機の受け皿ユニット。
【請求項４】
前記シャッタを前記計数玉通路側に付勢する付勢手段を備える
ことを特徴とする請求項１から請求項３の何れか一項に記載の各台計数機の受け皿ユニット。
【発明の詳細な説明】
【技術分野】
【０００１】
本発明は、パチンコ機等の遊技機の各台の近傍に配設されて計数を行う各台計数機における技術に関する。
【背景技術】
【０００２】
特許文献１には、台間玉貸機の下部に配設されており、パチンコ玉を計数する計数器ユニットと、計数器ユニットの前面に装着される玉案内ユニットを備える各台計数機が開示されている。この玉案内ユニットは、計数器ユニットと着脱するための着脱機構、および玉案内ユニットを計数器ユニットから取外すときに玉案内ユニットに残留しているパチンコ玉の落下を防ぐシャッタ機構を備える。特許文献１において、前記着脱機構は、例えば、係合凹部、シャフト部を備え、前記シャッタ機構は、例えば、シャッタ部材、板バネ、シャッタブラケットを備える。
【先行技術文献】
【特許文献】
【０００３】
【特許文献１】特開２０００−８４２３０号公報
【発明の概要】
【発明が解決しようとする課題】
【０００４】
しかし、特許文献１の技術によれば、シャッタ部材、板バネ、シャッタブラケットを、玉案内ユニットのシャッタ機構の必須の構成要素としており、部品点数が多い。このため、製造等のコストの増大を招く。
【０００５】
そこで、本発明では、前記した事情を鑑みて、各台計数機において、部品点数を抑え、コストを削減するシャッタ機構を実現することを目的とする。
【課題を解決するための手段】
【０００６】
前記目的を達成するため、本発明は、遊技機に用いられる遊技媒体を受け入れ、前記遊技媒体を計数する玉計数ユニットと係合する各台計数機の受け皿ユニットにおいて、前記遊技媒体を前記玉計数ユニットに案内する計数玉通路と、前記計数玉通路の開口付近に架設される係合軸と、前記係合軸に対して上下動可能に設けられ、前記計数玉通路を開通または閉鎖するシャッタと、を備え、前記玉計数ユニットと係合しているときは、前記玉計数ユニットの係合凹部が前記シャッタを押し上げて前記計数玉通路が開通し、前記玉計数ユニットと係合していないときは、前記シャッタの自重により前記計数玉通路が閉鎖されることを特徴とする。
詳細は、後記する。
【発明の効果】
【０００７】
本発明によれば、各台計数機において、部品点数を抑え、コストを削減するシャッタ機構を実現することができる。
【図面の簡単な説明】
【０００８】
【図１】各台計数機が装着されたパチンコ島の一部を示す斜視図である。
【図２】受け皿ユニットの斜視図である。
【図３】受け皿ユニットの端部の構造を示す斜視図である。
【図４】玉貸機に収納されている玉計数ユニットに形成された係合手段の構成を示す斜視図である。
【図５】シャッタの構造を示す斜視図である。
【図６】板バネの構造を示す斜視図である。
【図７】受け皿ユニットの端部の分解斜視図である。
【図８】受け皿ユニットの端部と玉貸機に収納されている玉計数ユニットとが係合する様子を示す左視側面図である。
【図９】受け皿ユニットの端部と玉貸機に収納されている玉計数ユニットとが係合した箇所を拡大して示す斜視図である。
【発明を実施するための形態】
【０００９】
以下、本発明を実施するための形態（以下、「実施形態」という。）について、図面を参照しながら説明する。
【００１０】
≪パチンコ島≫
図１は、パチンコ機１（例：ＣＲ機）とその正面左隣りに隣接して設けられた玉貸機２とを対として横一列に並べて形成したパチンコ島の一部を示す斜視図であって、そのパチンコ島の膳板３から上の一部分を示したものである。本図に示すように、膳板３は、一般的に、パチンコ機１や玉貸機２を載置する奥側が高く、手前側が低い段差を有して形成されている。手前側を低くする理由の一つは、ドル箱を置くスペースの確保にあるが、段差の大きさは、パチンコ島の製造業者によって統一されていないのが現状である。
【００１１】
以下、本実施形態において、パチンコ機１から遊技者に向かう方向を「前」とし、その方向の逆方向を「後」とする。また、パチンコ機１から玉貸機２に向かう方向を「左」とし、その方向の逆方向を「右」とする。また、パチンコ機１の下皿４から上皿９に向かう方向を「上」とし、その方向の逆方向を「下」とする。
【００１２】
パチンコ機１の前面下部には、遊技中のパチンコ玉（遊技媒体）を収容する上皿９および上皿９の下方に設置された下皿４が設けられている。そして、下皿４と膳板３との間のスペースには、パチンコ玉の各台計数機の受け皿ユニット１０が装着されている。受け皿ユニット１０は、主に、受け皿１１と、計数玉通路１２と、返却玉通路２１と、玉返却部２２とを備えている。
【００１３】
受け皿１１は、下皿４の直下に配設され、下皿４から落下するパチンコ玉を受け入れる。計数玉通路１２は、受け皿１１が受け入れたパチンコ玉、つまり計数玉を、玉貸機２に収納されている各台計数機の玉計数ユニット５（図４参照）へと下り傾斜を利用して流下させる。返却玉通路２１は、玉貸機２から排出される返却玉を下り傾斜を利用して流下させる。玉返却部２２は、返却玉通路２１を流下した返却玉を収容する。
【００１４】
なお、玉計数ユニット５とは、計数玉を計数するユニットであり、玉貸機２の下部に収納されている。また、返却玉とは、遊技者による玉貸機２の払出しボタンの操作により払い出されるパチンコ玉の一部または全部をいう。
【００１５】
受け皿ユニット１０は、計数玉の流下先となる端部１３において玉貸機２の下部に連結されている。下皿４に設けた排出レバー６をスライドさせると、下皿４の底面に設けたシャッタ７が開く。これにより、遊技者が遊技を行った結果として下皿４に貯まったパチンコ玉は、シャッタ７が開いたときに現れる開口を通じて受け皿１１に落下する。受け皿１１に落下したパチンコ玉は、計数玉通路１２上で２列に整列しつつ流下し、端部１３から玉貸機２の玉計数ユニット５に向けて送り出される。
なお、各台計数機は、遊技者の獲得したパチンコ玉、つまり計数玉を、遊技者が遊技したパチンコ機の近傍で計数する装置であり、主に、受け皿ユニット１０および玉計数ユニット５を含む。
【００１６】
≪各台計数機≫
次に、各台計数機の受け皿ユニット１０の構造の詳細について説明する。
図２は、受け皿ユニットの斜視図である。受け皿ユニット１０の受け皿１１の皿底１１ａには、計数玉通路１２の上流側が形成されている。受け皿１１の皿底１１ａは、計数玉通路１２が形成された領域を除いて、前から後への僅かな下り斜面となっている。計数玉通路１２は、受け皿１１の皿底１１ａの左側から受け皿ユニット１０の長手方向、つまり、左右方向に延設されている。計数玉通路１２は、右から左へ僅かに下る傾斜面を備えている。
【００１７】
受け皿１１の上縁には、受け皿１１の上方を取り囲むように玉はね防止カバー１６が設けられている。この玉はね防止カバー１６は、パチンコ機１の下皿４から落下するパチンコ玉が外に飛び出さないように立設されている。パチンコ玉の落下を直接受け止める受け皿１１の皿底１１ａには、緩衝材としてゴムシートを敷設するとよい。
【００１８】
端部１３は、受け皿ユニット１０が玉貸機２に収納されている玉計数ユニット５と係合する箇所である。端部１３には、玉計数ユニット５と係合する部材や、受け皿ユニット１０に残留するパチンコ玉の流下を防止する部材などが備えられている。受け皿ユニット１０と玉計数ユニット５とが係合すると、計数玉通路１２が玉貸機２内の玉計数ユニット５の玉流路と連結する。なお、端部１３の構造、端部１３に備えられた部材などの詳細については後記する。
【００１９】
返却玉通路２１は、端部１３から受け皿ユニット１０の長手方向、つまり、左右方向に延設されている。返却玉通路２１は、左右に関して計数玉通路１２と平行または略平行、かつ、計数玉通路１２の上方に配設されている。返却玉通路２１は、左から右へ僅かに下る傾斜面を備えている。
【００２０】
図３は、受け皿ユニットの端部の構造を示す斜視図である。この図３は、図２に示す破線で囲んだ端部１３を含む領域を、Ａで示す方向、つまり、略左後から略右前に向かって視たときの図である。
【００２１】
端部１３には、玉計数ユニット５と係合する係合手段として嵌合片３６と、係合軸３７ａが備えられている。さらに、端部１３には、受け皿ユニット１０に残留するパチンコ玉の落下を防ぐシャッタ機構を構成する手段として、シャッタ４０と、板バネ６０とが備えられている。
【００２２】
嵌合片３６は、玉計数ユニット５の係合軸３７ｂ（図４参照）と係合する部材であり、後方に向かって突設されている。これにより、端部１３において四角形状の開口３５が形成される。開口３５は、計数玉の流下方向を９０度方向転換した計数玉通路１２が臨んでいる。図３には、計数玉通路１２を構成する縦板１２ａおよび玉分離板１４が描かれている。嵌合片３６の下縁には、上方に向かって切り欠かれた係合凹部３８ａが凹設されている。縦板１２ａは、計数玉通路１２に沿って立設された板状体である。この板状体の上縁は下り傾斜に形成されているため、縦板１２ａは、計数玉が流下するときのレールとなる。また、玉分離板１４は、受け皿ユニット１０の計数玉通路１２の内部中央に立設され、計数玉通路１２を２列にする。
【００２３】
係合軸３７ａは、丸シャフトであり、嵌合片３６の上部において左右方向に延伸して架け渡されている。
【００２４】
シャッタ４０は、計数玉通路１２の上部を塞ぐことが可能な部材であり、開口３５の上部に配置されている。このシャッタ４０は、上下方向に移動可能であり、受け皿ユニット１０による玉計数ユニット５との着脱に応じて計数玉通路１２を開通したり閉鎖したりする。シャッタ４０が計数玉通路１２を閉鎖する状態を「閉状態」といい、シャッタ４０が計数玉通路１２を開通する状態を「開状態」という。つまり、「閉状態」とは、シャッタ４０の最下部とその下方に位置する計数玉通路１２との距離がパチンコ玉の直径よりも小さい状態をいう。そして、「開状態」とは、シャッタ４０の最下部とその下方に位置する計数玉通路１２との距離がパチンコ玉の直径よりも大きい状態をいう。前記“シャッタ４０の最下部”とは、後記する前側板４２（図５参照）の下端を意味する。受け皿ユニット１０を玉計数ユニット５から外したときは、閉状態になり、受け皿ユニット１０を玉計数ユニット５に取り付けたときは、開状態になる。シャッタ４０の詳細は、後記する。
【００２５】
板バネ（付勢手段）６０は、シャッタ４０に当接し、シャッタ４０を下方に移動させるように付勢する部材であり、シャッタ４０の上方に配置されている。板バネ６０の詳細は、後記する。
【００２６】
なお、返却玉通路２１は、主に、入口部材２３および返却玉通路用カバー２４を備えている。入口部材２３は、玉貸機２から排出される返却玉に対し、返却玉通路２１の入口を構成する部材であり、その入口の左右の側面および底面を形成する。返却玉通路用カバー２４は、返却玉通路２１の天面を構成する部材であり、入口部材２３を前記入口を除いて被覆する。
【００２７】
図４は、玉貸機に収納されている玉計数ユニットに形成された係合手段の構成を示す斜視図である。玉計数ユニット５には、玉分離板３４、左側板５５ａ、右側板５５ｂが備えられている。さらに、玉計数ユニット５には、前記係合手段として、係合軸３７ｂ、係合凹部３８ｂを備えている。玉計数ユニット５の前面には、四角形をなす開口３３が設けられている。
【００２８】
玉分離板３４は、玉計数ユニット５の内部中央に立設され、前後方向に延伸している。この玉分離板３４は、受け皿ユニット１０の玉分離板１４（図３参照）と連続的に設けられるもので、玉計数ユニット５の内部に２列の玉流路を形成している。
【００２９】
係合軸３７ｂは、丸シャフトであり、開口３３の内部下部において左右方向に延伸して架け渡されている。
【００３０】
係合凹部３８ｂは、金属板の前先端を上方に折り曲げて形成され、玉分離板３４の上方に設けられている。この係合凹部３８ｂの左右両端には、側板３８ｃが立設されている。側板３８ｃには、その上部が切り欠かれ、前方に向かって傾斜するテーパ３８ｄが形成されている。テーパ３８ｄの詳細については、後記する（図９参照）。
【００３１】
左側板５５ａは、玉計数ユニット５に形成されている玉流路の左側の側板である。右側板５５ｂは、玉計数ユニット５に形成されている玉流路の右側の側板である。
【００３２】
次に、シャッタ４０について詳細に説明する。
図５は、シャッタの構造を示す斜視図である。図５（ａ）には、閉状態における受け皿ユニット１０の端部１３の構造が図示されており、図５（ｂ）には、開状態における受け皿ユニット１０の端部１３の構造が図示されている。説明の便宜上、図５において、シャッタ４０は実線で描かれており、他の部材は二点鎖線または破線で描いたり、構造の一部を切欠いて描いたりしている。板バネ６０については、説明の便宜上、その描写を省略している。
【００３３】
図５（ａ）に示すように、シャッタ４０は、平板４１、前側板４２、側板４３を備え、１枚の金属板から左右対称に成形加工される。
【００３４】
平板４１は、略長方形の形状を呈しており、開口３５の内部で、係合軸３７ａの上方に位置し、水平または略水平に配設されている。平板４１の後端の両隅には、平板４１から後方向に延設した小片を前方にはぜ折りして形成した凸部４１ａが凸設されている。凸部４１ａの詳細については、後記する（図９参照）。
【００３５】
前側板（当接板）４２は、平板４１の前端から下方に垂設している。閉状態では、前側板４２の下端は、開口３５にある計数玉通路１２を通過する計数玉Ｐ１の最上部から数ミリ程度下方の高さに位置する。よって、閉状態では、前側板４２は、計数玉Ｐ１の上部と当接し、計数玉Ｐ１の通過を阻止することができる。前側板４２の下端中央には、上方へ向かって切り欠きが設けられている。これによって、前側板４２は、計数玉通路１２の内部中央に立設されている玉分離板１４との接触を避けることができる。
【００３６】
側板４３は左右それぞれ、嵌合片３６の内側に当接しつつ、平板４１から垂設している。側板４３の内部略中央にはそれぞれ、上下方向に伸びた孔（長孔）４３ａが形成されている。係合軸３７ａは、孔４３ａを貫通し、閉状態では、孔４３ａの最上部に位置する。このことは、板バネ６０による付勢や、シャッタ４０自身の自重のため、シャッタ４０が最も下方に移動していることを意味する。シャッタ４０は、係合軸３７ａにより下方から支持されるとともに、前側板４２において入口部材２３が形成する返却玉通路２１の入口の下方にある側壁２３ａと当接することにより前方から外力が働く。
【００３７】
また、側板４３には、その下部が切り欠かれ、後方に向かって傾斜するテーパ４３ｂが形成されている。テーパ４３ｂの詳細については、後記する（図９参照）。
【００３８】
なお、側板４３の孔４３ａを貫通する係合軸３７ａには、その周方向に形成された溝にＥリング３７ａａが側板４３の内側に位置するように取り付けられている。Ｅリング３７ａａは、係合軸３７ａが嵌合片３６から抜け落ちるのを防止する。
【００３９】
図５（ｂ）に示すように、開状態では、シャッタ４０は、閉状態のときよりも上方に位置する。このとき、係合軸３７ａは、孔４３ａの最下部に位置する。また、前側板４２の下端は、計数玉通路１２を通過する計数玉Ｐ１の最上部より上の高さに位置する。よって、開状態では、前側板４２は、計数玉Ｐ１の通過を許容することができる。
【００４０】
なお、開状態において、シャッタ４０が上方に位置するのは、受け皿ユニット１０と玉計数ユニット５との係合により、係合凹部３８ｂの側板３８ｃ（図４参照）の上端がシャッタ４０の平板４１と当接し、シャッタ４０を上方に押し上げるからである。
【００４１】
次に、板バネ６０について詳細に説明する。
図６は、板バネの構造を示す斜視図である。図６（ａ）には、閉状態における受け皿ユニット１０の端部１３の構造が図示されており、図６（ｂ）には、開状態における受け皿ユニット１０の端部１３の構造が図示されている。説明の便宜上、図６において、板バネ６０は実線で描かれており、他の部材は二点鎖線または破線で描いたり、構造の一部を切欠いて描いたりしている。
【００４２】
図６（ａ）に示すように、板バネ６０は、基板６１、中間板６２、嵌合板６３を備え、１枚の金属板から左右対称に成形加工される。
【００４３】
基板６１は、嵌合片３６の上方に、かつ、返却玉通路２１の入口部材２３により形成される返却玉の入口の下方に配設されている。基板６１の後端は、略上方への反り返りが形成されている。そして、後端のその反り返りが形成されている箇所は、シャッタ４０と直接接触し、板バネ６０において発生する付勢力により、シャッタ４０を下方へ付勢する。また、その反り返りにより、シャッタ４０の上下の移動時において、基板６１とシャッタ４０との間に発生する摩擦力は小さくて済む。
【００４４】
中間板６２は、基板６１の前端から上方へ、かつ、嵌合板６３の後端から下方へ立設している。中間板６２の左右幅は、入口部材２３の左右幅と略一致する。
【００４５】
嵌合板６３は、中間板６２の上端の両隅から、水平または略水平に延設されている。嵌合板６３には、入口部材２３が備え、返却玉通路２１の入口の左右両側に設けられている突起部２３ｂ（図７参照）を嵌め込むことができる孔６３ａが設けられている。
【００４６】
図６（ｂ）に示すように、開状態では、シャッタ４０が最上方に位置するため（図５（ｂ）参照）、板バネ６０の基板６１が押し上げられる。このとき、シャッタ４０に対する板バネ６０の下方への付勢力は、閉状態のそれよりも大きい。もし、受け皿ユニット１０を玉計数ユニット５から取り外せば、板バネ６０のその付勢力およびシャッタ４０の自重により、シャッタ４０は下方へ移動する。
【００４７】
ここで、板バネ６０およびシャッタ４０の取り付け方法について説明する。
図７は、受け皿ユニットの端部の分解斜視図である。図７には、主に、計数玉通路１２、係合軸３７ａ、シャッタ４０、入口部材２３、板バネ６０、返却玉通路用カバー２４が描かれている。
【００４８】
板バネ６０の取り付けは、以下のように行われる。まず、計数玉通路１２を構成する端部１３の下部のユニットに対し、入口部材２３を上から嵌め込む。次に、板バネ６０の中間板６２の中央部分を、入口部材２３において形成されている返却玉通路２１の入口の底辺２３ｃの下方から潜り込ませ、板バネ６０の孔６３ａに入口部材２３の突起部２３ｂを嵌め込む。
【００４９】
その嵌め込みの後、返却玉通路用カバー２４を、計数玉通路１２を構成する端部１３の下部のユニットと合わせるように装着する。すると、板バネ６０の嵌合板６３は、返却玉通路用カバー２４と入口部材２３とによって上下から挟まれる。さらに、板バネ６０の中間板６２の一部は、返却玉通路２１の入口の下方において、入口部材２３の側壁２３ｄと返却玉通路用カバー２４の側壁２４ａとによって前後から挟まれる。このようにして板バネ６０が固定される。
【００５０】
また、シャッタ４０の取り付けは、以下のように行われる。まず、嵌合片３６のシャフト穴３６ａとシャッタ４０の孔４３ａとが隣接するように、シャッタ４０の位置を定める。次に、係合軸３７ａをシャフト穴３６ａおよび孔４３ａに貫通させて嵌合片３６に架け渡す。その後、係合軸３７ａに形成されている溝にＥリング３７ａａを取り付ける。
【００５１】
板バネ６０の取り付けは、入口部材２３の取り付けの工程および返却玉通路用カバー２４の取り付けの工程の間に行うだけで済む。さらに、板バネ６０の取り付けのために、入口部材２３および返却玉通路用カバー２４などの設計を変更する必要は無い。また、シャッタ４０の取り付けは、嵌合片３６に対する係合軸３７ａの取り付けの工程の前にシャッタ４０を該当位置に配置するだけで済む。さらに、シャッタ４０の取り付けのために、嵌合片３６などの設計を変更する必要は無い。
【００５２】
≪作用≫
次に、シャッタ４０および板バネ６０の作用について説明する。
図８は、受け皿ユニットの端部と玉貸機に収納されている玉計数ユニットとが係合する様子を示す左視側面図である。受け皿ユニットと玉計数ユニットとの係合は、図８の（ａ）→（ｂ）→（ｃ）の順に進行する。説明の便宜上、図８には、受け皿ユニット１０の端部１３の断面図と、玉貸機２の玉計数ユニット５の断面図が図示されている。
【００５３】
受け皿ユニット１０の端部１３を、玉貸機２に収納された玉計数ユニット５に係合するときには、図８（ａ）に示すように、まず、受け皿ユニット１０の端部１３を持ち上げながら、玉計数ユニット５の開口３３に嵌合片３６を奥まで嵌挿させる。その後、図８（ｂ）に示すように、端部１３を押し下げる。これにより、図８（ｃ）に示すように、係合軸３７ｂに係合凹部３８ａが上方から係合すると同時に、係合凹部３８ｂが係合軸３７ａに下方から係合する。その結果、受け皿ユニット１０の左右方向、および前後方向の移動が拘束される。
【００５４】
受け皿ユニット１０の端部１３が玉貸機２に収納された玉計数ユニット５と係合すると、玉貸機２から排出される返却玉の出口と返却玉通路２１の入口とが連通する。
【００５５】
上記の過程におけるシャッタ４０および板バネ６０の動作について説明する。図８（ａ）に示すように、嵌合片３６を奥まで嵌挿させるとき、閉状態にあるシャッタ４０は、その平板４１が係合凹部３８ｂの側板３８ｃよりも上方の位置に維持しつつ、後方に移動する。計数玉Ｐ１に着目すると、シャッタ４０の前側板４２により計数玉通路１２の略上半分が塞がれているため、計数玉通路１２内の計数玉Ｐ１の流下が阻止されている。
【００５６】
その後、図８（ｂ）に示すように、端部１３を押し下げようとすると、係合凹部３８ｂの側板３８ｃの上端がシャッタ４０の平板４１と当接し、シャッタ４０は押し上げられる。その結果、シャッタ４０の係合軸３７ａは、孔４３ａの下方へ移動していく。また、板バネ６０の基板６１が押し上げられていくため、板バネ６０おいて、下向きの付勢力が強くなる。
【００５７】
図８（ｃ）に示すように、係合が完了すると、シャッタ４０の係合軸３７ａは、孔４３ａの最下部に位置する。このとき、開状態になったシャッタ４０の前側板４２は、計数玉通路１２に対して上方に移動したため、計数玉通路１２が開通する。よって、計数玉通路１２内の計数玉Ｐ１が玉計数ユニット５へ流下する。
【００５８】
なお、受け皿ユニット１０の端部１３を、玉貸機２に収納された玉計数ユニット５から取り外すときは、受け皿ユニット１０の端部１３を持ち上げて前方へ引き抜けばよい。受け皿ユニット１０を持ち上げるとき、シャッタ４０は、板バネ６０の付勢力、シャッタ４０自身の自重により、計数玉通路１２に対して下方に移動し、計数玉通路１２の略上半分を塞ぎ、閉鎖する。したがって、受け皿ユニット１０の端部１３を取り外すときに受け皿ユニット１０内部に計数玉Ｐ１が残留していたとしても、計数玉Ｐ１は、シャッタ４０の前側板４２から後方へ流下することはない。
【００５９】
さらに、板バネ６０の付勢により、シャッタ４０を素早く下方に移動させるとともに、計数玉通路１２を確実に閉鎖することができる。このため、残留する計数玉Ｐ１の流下を確実に防止することができる。
【００６０】
図８（ｃ）に示す係合について、図８および図９を参照してさらに説明を続ける。
図９は、受け皿ユニットの端部と玉貸機に収納されている玉計数ユニットとが係合した箇所を拡大して示す斜視図である。説明の便宜上、シャッタ４０および係合軸３７ａは破線で描写し、嵌合片３６の一部を切り欠いている。
【００６１】
玉計数ユニット５を構成する係合凹部３８ｂの側板３８ｃは、シャッタ４０の側板４３よりも内側に位置する。図８（ａ）において、端部１３の高さが若干低い位置で嵌合片３６の嵌挿を誤って行うと、シャッタ４０の平板４１が係合凹部３８ｂの側板３８ｃと衝突してしまう。しかし、本実施形態によれば、この衝突においては、シャッタ４０の凸部４１ａが側板３８ｃと当接する。このシャッタ４０の凸部４１ａは、シャッタ４０の後端において、後方に凸状の丸みを帯びて形成されているので、係合凹部３８ｂが当接して移動する際の係合凹部３８ｂと凸部４１ａとの摩擦を低減させることができる。
【００６２】
また、側板３８ｃの上端には、前方に向かって先細りの形状となるテーパ３８ｄが形成されている。前記衝突の場合、一般的には、シャッタ４０の凸部４１ａは側板３８ｃに形成されたテーパ３８ｄに当接する。そのため、テーパ３８ｄを形成しない場合、つまり、側板３８ｃの前面が垂直であった場合と比較して、衝突の衝撃を上下方向へ逃がすことができる。このため、係合凹部３８ｂと凸部４１ａとの摩擦をさらに低減させることができる。さらに、テーパ３８ｄは、テーパ３８ｄに衝突してきたシャッタ４０を側板４３の上方へスムーズに案内することができる。よって、受け皿ユニット１０の係合が滞りなく進行する。
【００６３】
シャッタ４０の側板４３の下端には、後方に向かって先細りの形状となるテーパ４３ｂが形成されている。図８（ａ）において、受け皿ユニット１０を前後方向に対して斜めの方向から嵌合片３６の嵌挿を誤って行うと、シャッタ４０の側板４３が係合凹部３８ｂの側板３８ｃと衝突してしまう。しかし、本実施形態によれば、この衝突においては、側板４３のテーパ４３ｂが側板３８ｃと当接する。そのため、テーパ４３ｂを形成しない場合、つまり、側板４３の後面が垂直であった場合と比較して、衝突の衝撃を上下方向へ逃がすことができる。このため、衝突の衝撃を緩和することができる。さらに、テーパ４３ｂは、テーパ４３ｂにおける衝突により、シャッタ４０を係合凹部３８ｂの側板３８ｃの上方へ案内することができる。このため、嵌合片３６の嵌挿の方向が、前後方向に対して斜めの方向から前後方向と平行の方向へと是正され易くなる。よって、受け皿ユニット１０の係合が滞りなく進行する。
【００６４】
≪まとめ≫
以上、本実施形態によれば、各台計数機において、部品点数を抑え、コストを削減するシャッタ機構を実現することができる。本実施形態の受け皿ユニット１０には、シャッタ機構としてシャッタ４０と板バネ６０だけを用いており、特許文献１のシャッタブラケットのような他の部材は用いていない。よって、そのような他の部材を用いない分、部品点数は少なく済み、それに対する製造等のコストは発生しない。さらに、他の部材を用いていないため、その他の部材が占めていた空間を確保するように設計する必要もない。よって、各台計数機が占める空間の有効活用、および各台計数機自体の小型化を実現することもできる。
【００６５】
特許文献１のシャッタ機構は、シャッタブラケットに形成された湾曲状の孔に沿って、シャッタを移動させる構造である。このため、シャッタ機構の組み付けが複雑であるとともに、各部品の形状も複雑である。しかし、本実施形態のシャッタ４０と板バネ６０は、１枚の金属板から成形加工できる単純な形状であり、既存の着脱機構に変更を加えることなく組み付けできる。よって、受け皿ユニット１０への組み付け性は良好であるとともに、玉計数ユニット５との係合も容易である。
【００６６】
また、本実施形態のシャッタ機構としてのシャッタ４０と板バネ６０は、受け皿ユニット１０および玉計数ユニット５それぞれが備える係合手段、つまり着脱機構の着脱の動作を遮ることはない。板バネ６０などの作用により、シャッタ４０は着脱機構の着脱に連動して移動し、閉状態および開状態を制御する。よって、受け皿ユニット１０に残留したパチンコ玉の流下の阻止および通過を適切に実現することができる。
【００６７】
そして、シャッタ４０と板バネ６０を用いたとしても、係合軸３７ａ、係合凹部３８ａ、係合軸３７ｂ、係合凹部３８ｂなどの着脱機構を構成する部材の形状や組立などに関する設計を変更する必要もない。よって、既存の着脱機構に本実施形態のシャッタ機構をそのまま適用することができる。
【００６８】
≪その他≫
なお、上記形態は、本発明の好適な実施形態の一つであって、その実施形式はこれに限定されるものではなく、本発明の要旨を変更しない範囲内において実施形式を種々変形することが可能である。
【００６９】
例えば、本実施形態では、シャッタ機構に板バネ６０を用いた。しかし、板バネ６０を用いないシャッタ機構を実現することもできる。つまり、シャッタ機構にはシャッタ４０だけを使用する。シャッタ４０による閉状態および開状態の制御は、シャッタ４０自身の自重によって実現することができる。これにより、板バネ６０を用いない分、部品点数はさらに少なく済み、それに対する製造等のコストは発生しない。
【００７０】
また、本実施形態では、各台計数機において、返却玉通路２１を備えた受け皿ユニット１０を用いた。しかし、返却玉通路２１を備えていない、つまり計数玉通路１２のみを備えた受け皿ユニット１０についても本実施形態のシャッタ機構を適用することができる。この場合、計数玉通路１２には、天面が形成されており、板バネ６０を用いるのであれば、例えば、端部１３に含まれる計数玉通路１２のその天面に嵌め込むように板バネ６０を固定配設するとよい。
【００７１】
また、本実施形態では、パチンコ機を例にとったが、パロット（登録商標）にも適用可能である。
【００７２】
前記した各技術を適宜組み合わせることができることは勿論である。
その他、本発明の効果を損ねないように各装置およびその部品の位置、大きさ、範囲、形状、材質、デザイン等を適宜変形することができることはいうまでもない。
【符号の説明】
【００７３】
１      パチンコ機
２      玉貸機
５      玉計数ユニット
１０      受け皿ユニット
１２      計数玉通路
１３      端部
１４      玉分離板
２１      返却玉通路
２３      入口部材
２４      返却玉通路用カバー
３４      玉分離板
３６      嵌合片
３７ａ    係合軸
３７ａａ  Ｅリング
３８ａ    係合凹部
３７ｂ    係合軸
３８ｂ    係合凹部
３８ｃ    側板
３８ｄ    テーパ
４０      シャッタ
４１      平板
４１ａ    凸部
４２      前側板（当接板）
４３      側板
４３ａ    孔（長孔）
４３ｂ    テーパ
６０      板バネ（付勢手段）
６１      基板
６２      中間板
６３      嵌合板
６３ａ    孔
【図１】
0005593143.tif 000002
【図２】
0005593143.tif 000003
【図３】
0005593143.tif 000004
【図４】
0005593143.tif 000005
【図５】
0005593143.tif 000006
【図６】
0005593143.tif 000007
【図７】
0005593143.tif 000008
【図８】
0005593143.tif 000009
【図９】
0005593143.tif 000010